(57)【要約】      （修正有）【課題】使用する際には簡便に設置でき、且つ、訓練効果も充分に得られる歩行訓練器を提供する。【解決手段】少なくとも四本の支柱４により高低の調整を自在として、身体幅と略同一幅となるように中心で半円状に湾曲する湾曲部が設けられた略Ｕ字形として形成された身体支持バー部２と、夫々の支柱４から外側に分岐され、身体支持バー部よりも適宜に幅が広く設定され、且つ、湾曲部２ａでは身体支持バー部と同芯となるように形成され、高低の調整を身体支持バーよりも低い範囲で自在とする手摺りバー部３とから成る歩行訓練器１とすることで、構造の簡素化を可能として機能性を向上させ、併せて、安全性も向上させて課題を解決するものである。【選択図】図１
2008264337.tif 000002
【特許請求の範囲】
【請求項１】
少なくとも四本の支柱の頂部に高低の調整を自在として身体幅と略同一幅となる間隔を設けて平行に設置可能とされた身体支持バー部と、夫々の前記支柱から外側に分岐され立ち上げられたた分岐支柱の頂部に、前記身体支持バー部よりも適宜に間隔が広く設定され、且つ、前記身体支持バー部とは同じ中心を有する平行となるように配置可能とされ、高低の調整を前記身体支持バーよりも適宜に低い範囲で自在とする手摺りバー部とから成ることを特徴とする歩行訓練器。
【請求項２】
前記身体支持バー部と前記手摺りバー部との少なくとも一方のバー部の端部には、歩行訓練者が端部からの離脱を生じることのないようにするストッパーが設けられていることを特徴とする請求項１記載の歩行訓練器。
【請求項３】
前記ストッパーは前記身体支持バー部同士、前記手摺りバー部同士を接続する直線、または、半円形とされていることを特徴とする、請求項２記載の歩行訓練器。
【請求項４】
前記身体支持バー部と前記手摺りバー部と前記支柱とは、所定の長さでユニット化され、前記ユニットの任意数を接続することで、長さが任意に設定できることを特徴とする請求項１〜請求項３記載の歩行訓練器。
【請求項５】
前記身体支持バー部には、この身体支持バー部と訓練者の脇部との摺動を滑らかにするためのスライダーが、歩行訓練者の必要に応じて着脱の選択を自在として用意されていることを特徴とする請求項１〜請求項４何れかに記載の歩行訓練器。
【発明の詳細な説明】
【技術分野】
【０００１】
本発明は、歩行訓練器に関するものであり、詳細には、自立を補助するためのバーが、上下方向に身体支持バー部と、手摺りバー部との２本が用意され、例えば、長時間の自立をしていることが困難な歩行訓練者においても、前記身体支持バー部を脇の下に挟み込み、体重を腕部と脚部とに分散し身体を支えることで、比較的に少ない体力の消耗で、長時間の歩行訓練が行えるように計られている。
【背景技術】
【０００２】
従来の、歩行訓練器９０の構成の例を示すものが図８および図９であり、先ず、この歩行訓練器９０では、歩行訓練者８０は背負子状のハンガー９１を身体に取付ける。前記ハンガー部９１の上端には負荷測定装置９２の一端が取付けられ、この負荷測定装置９２の他端はトロリー９４を介して、天井などに取付けられたレール９３に懸架されている。
【０００３】
このようにすることで、前記負荷測定装置９２は歩行訓練者８０の脚部にかかる重量を知ることができるので、バネなどを用いて歩行訓練者８０につり上げる方向の力を加え、訓練者８０の脚部にかかる重量を低減させる。即ち、歩行訓練者の体重を歩行訓練に適した量に低減させる。
【０００４】
図９は、ハンガー９１を示すもので、このハンガー９１は金属フレーム９１ａにより、歩行訓練者８０の胸部はベルト９１ｂで保持し、腰部はベルト９１ｃで保持し、肩部はベルト９１ｄで保持し、両脚部は９１ｅで保持できるようにされている。また、前記金属フレーム９１ａには肘掛け部９１ｆも設けられており、上記した脚部にかかる重量の調整などを歩行訓練者自体が調整することも可能としている。
【特許文献１】特開平０９−１５４９０１号公報
【発明の開示】
【発明が解決しようとする課題】
【０００５】
しかしながら、上記した従来の構成の歩行訓練器９０においては、先ず、室内に前記レール９３およびトロリー９４の設置が必要となり、高価となることが予想される。また、設置した場合には、その位置を固定して占有するものとなり、訓練の必要に応じて構成部品などを取出し、例えば、ドライバー、レンチなど簡単な組立工具で組立を行い、訓練の終わった時点で、また分解して収納しておくなどの機動性は望むべくもなく、限られた面積を有効に使用することも
が不可能と思われる。
【０００６】
さらに言えば、レール９３とトロリーとの転がり具合の調整、前記負荷測定装置９２の負荷低減の程度の設定、確認など繁雑で熟練を要する設定や、その定期的なメンテナンスも必要になると思われ、トレーナー側に相当の知識、技能が要求されるものとなり、例えばトレーナー側の技能が低い場合には、有効に歩行訓練器９０自体を使いこなすことができず、充分な効果が得られない場合も生じことが考えられる。
【課題を解決するための手段】
【０００７】
本発明は、前記した従来の課題を解決するための具体的な手段として、少なくとも四本の支柱の頂部に高低の調整を自在として身体幅と略同一幅となる間隔を設けて平行に設置可能とされた身体支持バー部と、夫々の前記支柱から外側に分岐され立ち上げられたた分岐支柱の頂部に、前記身体支持バー部よりも適宜に間隔が広く設定され、且つ、前記身体支持バー部とは同じ中心を有する平行となるように配置可能とされ、高低の調整を前記身体支持バーよりも適宜に低い範囲で自在とする手摺りバー部とから成ることを特徴とする歩行訓練器を提供することで、使用する際には簡便に設置でき、且つ、訓練効果も充分に得られる歩行訓練器を提供可能として、課題を解決するものである。
【発明の効果】
【０００８】
本発明により、少なくとも４本の前記支柱に支持され、高さを調整可能とした、前記身体支持バー部と、前記手摺りバー部とを、歩行訓練者の身長に合わせて設定する歩行訓練器としたことで、前記身体支持バー部を、ほぼ脇の下の高さに設定して身体を支え、そして、手で手摺りバー部を伝わって歩くことで、脚部にそれ程の体重の負担がかかることなく歩行訓練が行える歩行訓練器が簡単な構成で安価に実現できるものとなる。
【発明を実施するための最良の形態】
【０００９】
つぎに、本発明を図に示す実施形態に基づいて詳細に説明する。図１に符号１で示すものは、本発明に係る歩行訓練器であり、基本的には、身体支持バー部２と手摺りバー部３とが支柱４により床面８に対して平行に支持されている形状とされており、前記支柱４には、適宜な位置から分岐する分岐支柱５が一体に形成され、前記分岐支柱５の頂部には前記手摺りバー部３が、同様床面に対して平行に支持されている。尚、前記身体支持バー部２と手摺りバー部３の床面に対する高さは、歩行訓練者９の身長など身体条件など種々の条件により設定が可変できるものとされている。
【００１０】
ここで、先ず、前記支柱４の構成について説明を行うと、この支柱４は、例えば、鉄、アルミニウム、真鍮など市場で汎用されている金属パイプ、あるいは、樹脂パイプを用いて外筒４ａと内筒４ｂとでテレスコピック構造として形成されており、外筒４ａの下端には適宜な形状とした支柱支持脚５が設けられ、内筒４ｂの上端には前記手摺りバー部３がねじ込みなどの手段で取付可能な構成となっている。
【００１１】
また、前記支柱４は、前記外筒４ａと内筒４ｂとが、押しネジ４ｃなど適宜の手段で所望の長さで係止できるようにされている。従って、内筒４ｂの上端に前記手摺りバー部３を取付けた状態で、前記押しネジ４ｃなどによる係止位置の調整により、前記手摺りバー部３は床面８に対して平行な状態として設定することができるものとなる。尚、本発明の歩行訓練器１においては簡便を旨としているので、床面８に対する平行度も巻き尺（図示せず）程度の精度の測定器で測定できる範囲で良い。尚、前記支柱４の下端には支柱支持脚５が設けられて一層の安全性が保てるように計られている。
【００１２】
加えて、本発明においては、前記支柱４の外筒４ａには、上記に述べたように、前記手摺りバー部３を床面８に対して平行な状態として設置したときに、手摺りバー部３よりも上方に達する分岐支柱５が下端をエルボ状に曲げた金属パイプの溶接など適宜な手段で設けられている。尚、前記分岐支柱５も分岐支柱外筒５ａ、分岐支柱内筒５ｂでテレスコピック状に形成され、押しネジ５ｃにより、前記分岐支柱内筒５ｂの上端の高さを調整できるようにされている。
【００１３】
そして、前記分岐支柱内筒５の上端にも、前記支柱４の内筒４ｂの上端に取付けられたのと同様に身体支持バー部２が取付け可能とされている。このときに、前記手摺りバー部３と、前記身体支持バー部２とは、共に略平行となるように設定されるが、前記身体支持バー部２の方が適宜に幅が狭く設定されるものとなる。
【００１４】
よって、前記支柱４の上端に取付けられる前記手摺りバー部３と、前記分岐支柱５の上端に取付けられる身体支持バー部２とは、床面に対して平行となるように設定し、前記身体支持バー２同士が平行となるように設定すれば、前記身体支持バー部２に対して前記手摺りバー部３は、左右対称の位置に設置されるものとなり、この状態が本発明に係る歩行訓練器１の使用状態の基本形状である。
【００１５】
以上のように構成された本発明の歩行訓練器１は、上記の説明でも明らかなように、前記身体支持バー部２、前記手摺りバー部３、前記分岐支柱５を含む支柱４のそれぞれが、ネジ込みなど適宜な手段で接続されているものであるので、従来例として説明したものの構成として、極めて単純な構成である。
【００１６】
このことは、例えば、ネジ回し、ペンチ、プライヤーなど、極めて一般的で入手しやすい工具（道具）で簡単に分解、組立が可能であり、即ち、特に専門家を必要とせず一般の介護者、トレーナーであっても、必要なときに組立を行い歩行訓練を行わせ、訓練が終了した時点で分解して片づけるなど、家庭内など限りあるトレーニングルームの面積であっても有効に使用することも可能である。
【００１７】
図２は、本発明に係る歩行訓練器１を使用している状態を模式的に示したものであり、図でも明らかなように、先ず、歩行訓練者９は、身体支持バー部２の端部が開放しているぶぶんから歩行訓練器１内に入り、左右の脇で、前記身体支持バー部２を挟むようにする。このときに、前記身体支持バー部２の床面８からの高さを適宜に調整しておくことで、歩行訓練者９の脚部にかかる体重をコントロールすることが可能となる。
【００１８】
また、歩行訓練者９の体型、例えば肥満体、痩せ形などによって、前記身体支持バー部２との間隔が適切でない場合には、前記支柱４間の間隔の幅を適宜に調整すれば、前記歩行訓練者９の体型による支障を受けることなく、最適な状態で使用可能とすることができるものとなる。
【００１９】
そして、上記のように前記身体支持バー部２により身体が支えられている状態で、手摺りバー部３を握り、いわゆる、手摺りの伝い歩きと同様な状態で、身体を前へ進める。ここで、通常の伝い歩きの状態であれば、腕で体重の保持と身体の進行との、２つの方向への力が必要とされるものとなるが、本発明の歩行訓練器１によれば、体重の保持は、そのほとんどを脇の下に挟んだ前記身体支持バー部２が受け持つものとなるので、腕は身体の進行のみを受け持てば良いものとなり、歩行訓練者９に対する負担は低減されるものとなる。
【００２０】
また、本発明により前記身体支持バー部２が設けられたことで、万一に歩行訓練者９が、バランスを失うなど転倒を生じる状態に陥ったときにも、双方の脇の下に挟まれた身体支持バー２により支持されて、転倒は防止されるものとなり、転倒を生じるのを未然に阻止できる構成のものとすることができる。
【００２１】
このように構成した本発明の歩行訓練器１では、一方の端部から歩行訓練を開始すると、前記身体支持バー部２、および、前記手摺りバー部３の他方の端部に達するものとなり、１回の歩行訓練が終了するものとなる。よって、トレーナー、介護者などにより、方向転換を補助してもらえば、逆方向に向かい歩行訓練が再開できるものとなり、このようにすることで、必要量の歩行訓練量を消化することが可能となる。
【００２２】
ここで、上記にも説明したように、前記身体支持バー部２は脚部にかかる体重の低減も目的とするものであるので、身体の移動、或いは、腕の動きに対してはできるだけ負担要素と成らないことが、好ましい。よって、本発明においては図３に要部で示すように、前記身体支持バー部２に、例えば鞍状に取付け、適宜な摩擦でスライドすると共に、外面側は適度の柔軟性を有するパッド６ａなどを設けて、歩行訓練者９に不要な痛みなど苦痛を与えないようにするためなどのスライダー６を設けるなども自由である。
【００２３】
更に、前記スライダー６を設けたときには、前記身体保持バー部２の両端には、例えばは、図３に示すように前記身体保持バー部２よりも太い径とするフランジ状あるいは球状などのストッパー７をねじ込みなどで取付けておき、前記身体保持バー部２と前記ストッパー７とが当接して停止するようにしておけば、歩行訓練者９に対して一層の安全が提供できるものとなる。
【００２４】
尚前記ストッパー７は、例えば、２本が平行する前記身体支持バー部２の一方の端部間、即ち、出入口２ａに取付可能とした直線状、あるいは、半円状の棒状材（図２（Ａ）、または、図２（Ｂ）を参照）でも良く、要はトレーナーなどが気が付かない状態において歩行訓練者９が出入口２ａを行きすぎて支持を失い転倒を生じることのないようにできるものであれば良いものである。
【００２５】
尚、上記の説明では、前記身体支持バー部２、手摺りバー部３は、１本の金属、樹脂、木材などのパイプ状のもので形成したものとして説明したが、本発明は、これを限定するものではなく、図示は省略するが、前記身体支持バー部２、手摺りバー部３などの一本、一本は比較的に短い寸法で形成しておき、表面に段差を生じないように内径でネジ接続などで所望の長さとなるように接続して、支柱４で支持する構成としても良く、このようにすれば、訓練者の必要な練習量に合わせた長さの歩行訓練器１を形成することができる。
【００２６】
図４に示すものは、本発明の歩行訓練器１の別な使用状態を示すものであり、従来例のものでは構造が複雑化し、その結果、移設も困難となるので、例えば、平面である床面８に設置された場合、行える歩行訓練が、平面での歩行訓練に限定される可能性が高いものとなる。
【００２７】
しかしながら、本発明の歩行訓練器１においては、床面８が平坦でさえあれば、適度の登り坂、下り坂であっても設置が可能であり、このようにすることで、回復時の歩行訓練者９などに対しては、回復の程度に応じた最適の負荷を与えることができ、社会復帰時にも耐えられる歩行訓練が行えるものとなる。尚、図４は角度がα°の登り坂に設置した例を示してある。
【００２８】
また、本発明の歩行訓練器１においては、前記身体支持バー部２の高さを、歩行訓練者９の回復の程度に応じて、徐々に低く設定して行くことで、身体支持バー部２が負担していた体重の負担量を減じるようにして、脚部にかかる負担量を増し、脚力の強化を促進させるなども可能である。
【００２９】
このようにすることで、回復時の歩行訓練者９など、歩行訓練者９の回復の程度によっては、前記手摺りバー部３により体重を支持する割合を減じ、自分の脚力で体重を支える量を増やすことができ、例えば、脚力のより速い強化などが望めるものとなり、早期の回復に一層の効果を発揮できるものとなる。
【００３０】
なお、図５に示すものは、本発明に係る歩行訓練器１において、前記歩行訓練者９の機能の回復が最終段階に達したときの使用状態を示すものであり、自己の脚力のみで自立することが可能となれば、もはや、前記身体支持バー部２は不要となると思われるので、このような状態においては、前記身体支持バー部２（あるいは、前記手摺りバー部３）は完全に取り外しても良いものとなり、本発明の歩行訓練器１は、図示の状態として使用することも可能である。
【００３１】
この場合、歩行訓練者９のみでの、単独歩行にトレーナーが未だ不安を感じる場合には、図６に示すように、前記身体支持バー部２間に架け渡すような形状に形成したしたスライダー６を用意しておき、訓練の進度に応じて採用するなどすれば、手摺りバー部３を省略しても安全に歩行訓練の継続が行えるものとなる。
【００３２】
尚、上記の説明では、前記身体支持バー部２、手摺りバー部３は共に、直線状として説明を行ったが、本発明は、前記の形状を限定するものではなく、図７に示すように直線として説明した部分が、床面８から同一の高さにおいて蛇行していても良く、このように形成することで、歩行訓練者９に対して訓練の難度を上げることも可能となる。
【図面の簡単な説明】
【００３３】
【図１】本発明に係る歩行訓練器の実施形態を示す斜視図である。
【図２】同じく本発明に係る歩行訓練器の使用状態を示す説明図である。
【図３】身体支持バーに取付けるスライダーおよびストッパーの形状の例を示す説明図である。
【図４】本発明に係る歩行訓練器の別な使用例を示す説明図である。
【図５】本発明に係る歩行訓練器の更に別な使用形態の例を示す説明図である。
【図６】本発明に係る歩行訓練器の別の使用実態を示す説明図である。
【図７】本発明に係る歩行訓練器の別の実施形態を示す平面図である。
【図８】従来例の歩行訓練器におけるハンガー部分を示す説明図である。
【図９】従来例の歩行訓練器における使用状態を示す説明図である。
【符号の説明】
【００３４】
１…歩行訓練器
２…身体支持バー部
３…手摺りバー部
２ａ、３ａ…出入口
４…支柱
４ａ…外筒
４ｂ…内筒
４ｃ…押しネジ
４ｄ…支柱支持脚
５…分岐支柱
５ａ…分岐支柱外筒
５ｂ…分岐支柱内筒
６…スライダー
６ａ…パッド
７…ストッパー
８…床面
９…歩行訓練者
【図１】
2008264337.tif 000003
【図２】
2008264337.tif 000004
【図３】
2008264337.tif 000005
【図４】
2008264337.tif 000006
【図５】
2008264337.tif 000007
【図６】
2008264337.tif 000008
【図７】
2008264337.tif 000009
【図８】
2008264337.tif 000010
【図９】
2008264337.tif 000011